(57)【特許請求の範囲】
【請求項１】
編集すべき複数の素材と、これら編集素材に対する編集リストを収めた編集制御情報とを同一の記録媒体上に収録し、収録された上記編集制御情報に基づいて上記複数の編集素材を選択できるようにした編集装置において、
上記編集制御情報を消去する動作をインスタントイレーズモードとし、
上記編集制御情報及び上記編集素材を消去する動作をフルイレーズモードとしたとき、
上記インスタントイレーズモードと上記フルイレーズモードとで異なるイレーズフラグを上記記録媒体上に記録する手段と、
上記イレーズフラグを記録する手段により記録された上記イレーズフラグに応じて上記編集制御情報、又は上記編集制御情報及び上記編集素材を消去し、消去処理が終了した段階で上記イレーズフラグを消去する手段とを備えることを特徴とする編集装置。
【請求項２】
当該編集装置に上記記録媒体を装着して上記イレーズフラグの検索モードに移行したときで、
このイレーズフラグが上記記録媒体上に記録されたままになっているときは、上記インスタントイレーズモード及び上記フルイレーズモード以外の処理が禁止され、
消去処理が終了した段階で上記インスタントイレーズモード及び上記フルイレーズモード以外の処理モードの受け付けができるようになされたことを特徴とする請求項１記載の編集装置。
【請求項３】
上記イレーズフラグ検索モードのときで、イレーズフラグが記録媒体上に残存しているときはその旨を示す表示がなされるようになされたことを特徴とする請求項２記載の編集装置。
【請求項４】
上記記録媒体はディスクであることを特徴とする請求項１記載の編集装置。
【請求項５】
上記編集素材はオーディオデータ若しくはビデオデータであることを特徴とする請求項１記載の編集装置。
【発明の詳細な説明】
【０００１】
【発明の属する技術分野】
この発明は、オーディオデータなどを編集して１つの音声データを構築する場合などに適用して好適な編集装置に関する。詳しくは、複数のオーディオ用編集素材を記録すると共に、これと同時にこの編集素材に関連した記録管理情報を記録媒体に記録し、この記録管理情報に基づいて編集素材の記録再生を行うようにする場合であって、記録媒体上に記録されている情報をイレーズ（消去）するにあたり、イレーズフラグを媒体上に記録し、イレーズ終了と同時にこのイレーズフラグを消去するようにすることによって、イレーズモードが中断されたようなときでも再ロード時に、このイレーズ中の情報を確実に消去できるようにしたものである。
【０００２】
【従来の技術】
最近のオーディオ用編集装置では、テープ状記録媒体ではなく光磁気ディスクのようなディスク状記録媒体を使用し、これに複数の音声素材を記録するようにしている。
【０００３】
図５は記録媒体として光磁気ディスクなどの光ディスクを使用したときのデータエリアの一例を示すもので、このディスク１はその外周側に音声素材として使用されるオーディオデータを記録するためのメインデータエリア２が設けられ、その内周側に補助データエリア３が設けられる。
【０００４】
補助データエリア３には、オーディオデータを記録再生する際の記録管理情報などが記録されるものであって、図ではこのエリアがさらに内周側と外周側に２分される。外周側に位置するメイン補助データエリア（メインＡＵＸエリア）３ａと、内周側に位置するサブ補助データエリア（サブＡＵＸエリア）３ｂとには、同じ補助データ（ＡＵＸデータ）が記録される。一方の補助データを読み取れないときでも、他方のエリアに記録された読み取り可能な補助データを使用することによって編集素材を再生できるようにして、今までの編集作業が徒労に帰さないようにするためである。
【０００５】
ディスク１に形成されるアドレスはメインデータエリア２と補助データエリア３との境界点ｐがアドレス０となるように定められている。補助データエリア３に記録される記録管理情報などはページ単位で記録され、再生されるものであり、そのうち特にページ０（ゼロ）には記録管理情報や後述するディスクマネージメント情報などが記録される。したがってこのページ０に記録された記録管理情報などに基づいて、他のページを参照しながら編集素材の切り出しや追加などが行われる。
【０００６】
図６は補助データエリアに記録される情報のうち、特に記録管理情報とディスクマネージメント情報の関係を示すもので、ディスクマネージメント情報としては、図のようにＴＯＣ（Table Of Contents）、ディスクインフォメーションおよびＲＥＣインフォメーションの各情報の他に、後述するようにこの発明に関連したイレーズフラグを記録するエリアが設けられている。
【０００７】
ディスクインフォメーションとは、そのディスク固有の識別コード（ディスクＩＤ（ＤＩＳＣ・ＩＤ）という）などを指し、これは装置本体内に設けられた乱数発生手段（ハードウエア）によって生成されたコードが使用される。このディスクＩＤは３２ビット構成である。このようにビット数を多くしたのは、同一乱数の再現性を少なくして、同一のディスクＩＤが発番されないようにするためである。ディスクＩＤは生ディスクであるときにこのディスクインフォメーションエリアに記録される。
【０００８】
ＲＥＣインフォメーションとは、記録管理情報（レックＩＤ（ＲＥＣ・ＩＤ））のことであり、音声素材（編集素材データ）をディスクに記録する都度付される識別コード（レコーディング開始アドレスやその終了アドレスなど）である。
【０００９】
ディスクマネージメントの他にユーザデータなどがある。ユーザデータは編集データの他に、編集素材に対して付される編集用の目印（マーク）を示すリスト（マークリスト）などがあり、ユーザデータとマークリストで編集リスト（ＥＤＬ）が構成される。
【００１０】
補助データとしては以上の他にも存在するが、この発明とは直接関連がないのでその詳細な説明は省略する。
【００１１】
この編集装置では上述した装置本体側に設けられたメモリ上には、レコーディングデータを管理するための情報として使用される記録管理情報（レックＩＤ）のデータベースを持ち、データセーブ時あるいはディスクイジェクト時に、このレックＩＤがディスク１の補助データエリア３に記録されるようになされている。そして、装置本体に再読み込みされたこのレックＩＤ用のデータベースを検索し、レックＩＤの区間のみミュートを解除することで音声が出力される。
【００１２】
【発明が解決しようとする課題】
上述したように、この編集装置ではディスク１の補助エリアに記録された記録管理情報を一旦装置本体内に設けられたメモリ上にデータベースとしてストアし、ストアされたこのデータベースを検索してレックＩＤの区間のみミュートを解除することで編集された音声を再生するようにしている。
【００１３】
そのため、ディスク１上の情報を消去したいときには記録管理情報を消去（第１のイレーズモードであって、これをインスタントイレーズモードという）すればよい。勿論、この記録管理情報の他にディスクに記録されたオーディオデータ（編集素材）そのものも消去（第２のイレーズモードであって、フルイレーズモードという）してもよい。
【００１４】
ところで、データイレーズモード中であって、データ消去が終了していない状態で装置電源が切られたり、ディスクがアンロード（取り出し）されたりすることがある。
【００１５】
ディスクに記録されたデータをイレーズする順序としては、図７に示すように番号の若い順に行われるものとする。つまり、サブ補助データエリア、メイン補助データエリア、オーディオデータエリアの順にイレーズ処理され、さらに、同一データが記録されるメイン補助データエリア（メインＡＵＸ）及びサブ補助データエリア（サブＡＵＸ）にあっては、ディスクマネージメントページがその最後に消去されるようにイレーズアルゴリズムが定められているものとする。
【００１６】
このようなアルゴリズムが採用されているときで、電源切断などによるイレーズ処理の中断は以下の３通りが考えられる。
（ａ）ディスクマネージメントページが消去された後に電源が切られたとき。
【００１７】
この場合にはディスクマネージメントページが完全に消去されているので、このページをリードしたときのチェックサムはエラーとなり、ロードされたディスクが生ディスク（未記録ディスク）と判断されるので、特に問題はない。
（ｂ）サブ補助データエリアのイレーズ中若しくはメイン補助データエリアのイレーズ継続中に電源が切られたとき。
【００１８】
この場合にあって、サブ補助データエリア側のディスクマネージメントページの消去中に中断した場合には、そのディスクを再ロードしてページリードするとチェックサムエラーとなるから、これによって生ディスクと判断されるので問題はない。
【００１９】
しかし、メイン補助データエリアを消去する前に電源が切られたときは、このエリアに記録されているディスクマネージメントデータが完全な形で残っている。そのため、このディスクを再ロードしたときにはそのエリアのディスクマネージメントページを正しくロードできるが、装置の補助データ読み込み能力が低いときには補助データを正しく読み込めないことがある。したがって、このような場合にはこのディスクを再ロードしたときにこれに残存しているメイン補助データエリアのデータを完全に消去する必要がある。
（ｃ）ディスクマメージメントページ以外のページの消去は終了したが、メイン若しくはサブ補助データエリアの双方若しくはメイン補助データエリア側のデータ消去中に電源が切られたとき。
【００２０】
この場合には、消去されたデータはランダムなデータとなっているが、ディスクマネージメントページのデータが正常に読み込まれるために、装置本体内のメモリに指定されたページを読み込み、これをメモリのデータベース上に展開してしまう。
【００２１】
各ページのデータは編集リストとして互いに相関性のあるデータとなっているため、一部に過去のディスクマネージメントページのデータが使用されることになるため、データベース上に展開されたデータではデータの不整合が生じ、装置が暴走して停止してしまうことがある。メインコントローラＭＣはパソコンのＯＳに相当し、補助データはＯＳ用データに相当するため、パソコンでもＯＳ用データが破壊されるとハングアップすることからも明らかである。
【００２２】
そこで、この発明では上述した従来の課題を解決したものであって、イレーズモードが中断したときでも、そのディスクに記録された情報を確実に消去できるようにして情報の不整合によるハングアップを除去した編集装置を提案するものである。
【００２３】
【課題を解決するための手段】
上述した課題を解決するためこの発明に係る編集装置では、編集すべき複数の素材と、これら編集素材に対する編集リストを収めた編集制御情報とを同一の記録媒体上に収録し、収録された上記編集制御情報に基づいて上記複数の編集素材を選択できるようにした編集装置において、上記編集制御情報を消去する動作をインスタントイレーズモードとし、上記編集制御情報及び上記編集素材を消去する動作をフルイレーズモードとしたとき、上記インスタントイレーズモードと上記フルイレーズモードとで異なるイレーズフラグを上記記録媒体上に記録する手段と、上記イレーズフラグを記録する手段により記録された上記イレーズフラグに応じて上記編集制御情報、又は上記編集制御情報及び上記編集素材を消去し、消去処理が終了した段階で上記イレーズフラグを消去する手段とを備えることを特徴とする。
【００２４】
本発明においてイレーズフラグを記録する手段は、インスタントイレーズモードとフルイレーズモードとで異なるイレーズフラグを記録媒体上に記録する。
【００２５】
イレーズフラグを消去する手段は、イレーズフラグに応じて編集制御情報、又は編集制御情報及び編集素材を消去し、消去処理が終了した段階でイレーズフラグを消去する。したがって電源が切断されたりして消去処理が途中で中断したときにはイレーズフラグがそのままディスクに残る。
【００２６】
ディスクを再ロードした段階でこのイレーズフラグを検索し、これが消去されずに残っているときには、イレーズ処理以外の処理が禁止され、イレーズ処理を実行すべきことをオペレータに促す。これに応じてオペレータがイレーズキーを押すと、イレーズ処理が実行される。そのイレーズ以外の処理が解禁となる。
こうすることで、新旧データが同一のデータベース上に展開され、データの不整合が発生するようなおそれはない。
【００２７】
【発明の実施の形態】
続いて、この発明に係る編集装置の一実施態様を上述したオーディオデータの編集装置に適用した場合につき、図面を参照して詳細に説明する。
【００２８】
この発明では図７に示すようにイレーズモードが選択されたときにはイレーズフラグがディスクに記録され、イレーズが完全に終了した段階でこのイレーズフラグが消去されるようになされている。そのため、図６に示すようにこの例では補助データエリアのうちディスクマネージメントエリアの一部にイレーズフラグを記録するエリアが設けられている。イレーズフラグは、ディスク１の記録情報を消去するとき、ディスク全体の消去（フルイレーズ）なのか、一部消去（インスタントイレーズ）なのかを示すフラグである。
【００２９】
本例では補助データエリアに記録された記録管理情報のみを消去する第１のイレーズモード（インスタントイレーズモード）と、メインデータエリアに記録されたオーディオデータをも消去する第２のイレーズモード（フルイレーズモード）とが設けられ、そのいずれを指定したかによって異なるイレーズフラグ、例えば前者は「０１」のフラグで、後者は「０２」のフラグが使用される。
【００３０】
図１はこの発明に係る編集装置１０の具体例を示す。記録媒体としては光磁気によってデータを記録再生するようにしたディスク（ＭＯ）を使用した場合を示す。編集すべき情報としてはオーディオデータを示すが、映像データなどの画像データなどであってもよい。
【００３１】
データ記録部５はディスク１を有し、これはスピンドルモータ１１によって回転駆動される。ディスク１の下面にはリニアモータ１３によって移動自在な光ピックアップ手段１２が配され、これより出射するレーザがディスク面に照射されるようになっている。光ピックアップ手段１２と対向するディスク１の他面には少許の間隙を保持してデータを記録再生するための磁気ヘッド１５が光ピックアップ手段１２に同期して移動するように配される。
【００３２】
データの記録再生に伴うリニアモータ１３の駆動やモータ１１の制御などは、ＣＰＵ内蔵のシステムコントローラ（サーボコントローラ）１６によって行われる。さらに音のレコーディングや再生もこのサーボコントローラ１６の介在の下に行われる。
【００３３】
そのため、端子１８に供給された編集素材（音の情報であって、音素を含む）はＡ／Ｄ変換器１９で所定ビット数のディジタル信号に変換され、これがクロスフェーダ２０を経てエンコーダおよび変調器２１に供給され、ディスク１に記録するためのデータ形式にエンコードされると共に変調される。変調された編集素材はバッファ用のＲＡＭ２２およびドライバ２３を経て磁気ヘッド１５に供給されてメインデータエリア２に記録される。
【００３４】
ＣＰＵ１６によって再生された編集素材は高調波アンプおよびデータ再生用のクロック生成用ＰＬＬ２５を介してバッファＲＡＭ２６に一時的にストアされる。ＣＰＵ３３によってＲＡＭ２６より読み出された編集素材は復調器およびデコーダ２７に供給されて、データの復調処理とデコード処理が行われ、後段の補間手段２８でエラーのあったデータに対する補間処理が施される。さらに、ＣＰＵ３３が管理している記録管理情報に基づき、再生ミュート手段２９において再生データに対するミュートのオン、オフが制御される。補間された編集素材はクロスフェーダ３０を経てＤ／Ａ変換器３１に供給されてアナログ信号となされて出力される。
【００３５】
ディスク１の補助エリア３からリードされたＴＯＣ情報は、デコーダ２７−補間手段２８−再生ミュート手段２９−クロスフェーダ２０さらには、補助データのリード・ライト用として機能するバッファ３２を経てメインのシステムコントローラ（メインコントローラ）３３に供給される。
【００３６】
メインコントローラ３３には表示部の付いたキーボード３５やリモコン手段３６が接続され、ここから編集指示がなされる。したがってサーボコントローラ１６とメインコントローラ３３とは互いにリンクしている。ディスク１よりリードされた補助データ、特に編集リストやレックＩＤが不揮発性のメモリ、この例ではワーキングＲＡＭ（ＥＰＲＡＭ）３７にストアされる。編集時はこの編集リストなどを参照しながら新たな編集作業が遂行される。編集結果は編集リストおよびレックＩＤとしてＲＡＭ３７にストアされる。
【００３７】
新たな編集によって作成された編集リストやレックＩＤなどはデータセーブ時あるいはディスクイジェクト時に、バッファ３２およびクロスフェーダ２０を経てディスク１に再書き込みされる。上述したクロスフェーダ３０はディスク１より再生された編集後の音声素材と、入力した編集前の音声素材とを切り換える（クロスフェード）ために設けられている。
【００３８】
編集素材である音をレコーディングすると、これに対応するレックＩＤが生成されて保存されるが、このレックＩＤをディスクの補助データエリア３にセーブしない限り、レコーディングされた音を再現できない。このレックＩＤをディスクにセーブする作業に入る前の段階で装置電源が切断されたときを考慮して、この例ではレックＩＤのバックアップ処理が行われる。
【００３９】
電源の切断が起こるのは、エディタが不用意に電源を切ってしまったり、編集中に停電したときである。そのため、どのタイミングに電源切断が発生するか特定できないから、電源切断状態フラグＲＩＤＢＦを利用することとし、主だった編集手順に対応してフラグを用意し、そのフラグを手順フラグとして順次セット（フラグオン）しながらこれをバックアップする。
【００４０】
例えば図２のようにフラグＲＩＤＢＦが１６ビットで構成され、そのうちの下位４ビット（ビット０〜３）が手順フラグとして使用される。音のレコーディングは手順フラグとしてビット０が使用され、レックＩＤのＲＡＭ３７への登録はビット３が、レックＩＤをディスクにセーブするときはビット２がそれぞれ手順フラグとして使用される。ＲＡＭ３７への登録からディスクセーブするまでの間はビット１が手順フラグとして使用される。
【００４１】
編集手順が正常に終了した段階で順次上述した手順フラグがリセット（フラグオフ）され、レックＩＤのセーブ完了によって全ての手順フラグ（ビット０〜３）がリセットされる。
【００４２】
その結果、手順フラグがリセットされていないときは対応する編集手順の段階で電源が切られたことが判る。例えば図２に示すようにデータベースへの一時登録中に電源が切れたときには、ビット３は”１”のままでリセット（＝”０”）されずにそのままディスク上に残るからである。
【００４３】
バックアップされているこのレックＩＤをディスクにセーブするためには、ロードされたディスクの同一性がチェックされ、リードされたディスクＩＤとＲＡＭ３７にストアされた電源切断直前のディスクＩＤと同じであることが確認されると、ディスク側のレックＩＤのＲＡＭ３７上への取り込みが禁止される。そして手順フラグの状態に対応したディスクＩＤがディスクに記録される。
【００４４】
ディスク１に記録された情報を消去したいときにはオペレータはイレーズモードを選択する。そのときには図３のようなイレーズ処理モードに遷移する。
【００４５】
図３において、イレーズキーがオンされると「イレーズオン」の表示灯が点灯すると共に、ディスク１のディスクマネージメントページにイレーズフラグが記録される（ステップ４１，４２，４３）。
【００４６】
インスタントイレーズモードが選択されたときには「０１」のイレーズフラグが記録され、フルイレーズモードが選択されたときには「０２」のイレーズフラグが記録される（図７参照）。
【００４７】
イレーズフラグの記録が終ると、サーボコントローラ１６に対してデータのイレーズ実行をメインコントローラ３３側から指示される（ステップ４４）。これを受けて記録部５が制御されてイレーズ処理（この例では磁気的なイレーズ処理）がスタートする。この場合上述したように最初はディスクマネージメントページ以外のページに記録された記録管理情報（ＡＵＸデータ）が図７の番号順にイレーズ処理される（ステップ４５）。
【００４８】
これが終了するとディスクマネージメントページを消去すると共にイレーズフラグのうち「０１」のイレーズフラグが消去される（ステップ４６，４７）。ステップ４７までの処理はインスタントイレーズモードそのものだからである。
【００４９】
次に、フルイレーズモードの指定かどうかが判断され、そうでないときは「イレーズオン」表示が消灯されてイレーズモードの処理が終了する（ステップ４８，５１）。
【００５０】
しかし、ディスクマネージメントページのイレーズフラグの内容を検索した結果、フルイレーズモードが指定されていたときにはメインデータエリアに記録されているオーディオデータのイレーズが実行され（ステップ４９）、これが終了すると、「０２」のイレーズフラグが消去されてフルイレーズモードが終了する（ステップ５０）。その後「イレーズオン」表示が消される（ステップ５１）。
【００５１】
このようにイレーズモードが選択されると、ディスクにイレーズフラグが記録され、イレーズ処理が終了した段階でイレーズフラグが消去される。そのため、図３のイレーズモード処理中に電源が切られたりすると、イレーズフラグが必ずディスク１上に残存することになるから、このようなときにはディスク再ロード時にイレーズフラグを検索するだけでイレーズ処理が中断されたかどうかを判断できる。
【００５２】
図４がそのための一連の処理例を示す。
ディスクが再ロードされると、ディスクデータロードの前処理（ディスクＩＤの検索など）が実行され（ステップ６１）、前処理が終了するとイレーズフラグの有無（残存）が判別され（ステップ６２）、イレーズフラグが全て消去されているときは他の処理キーの受け付け待機状態となる（スッテプ７１）。
【００５３】
イレーズフラグが残っているときは「need erase」表示を行ない、イレーズ処理が未完であることをオペレータに知らせると共に、イレーズ処理を行なうことを促し、ＲＡＭ３７のデータベースが初期化される（ステップ６３，６４）。
【００５４】
データベースの内容が初期化されるとイレーズキーの状態が判別され（ステップ６５）、キー入力があるまでイレーズ処理以外のキー入力の受け付けが禁止される（ステップ６６）。これはデータ消去が未完のまま別のキー入力を受け付けてしまうと、上述したようにメインコントローラ３３内のＣＰＵがハングアップするおそれがあるからである。
【００５５】
イレーズキーが押されることによってイレーズフラグの内容に伴ったイレーズ処理が実行される（ステップ６７）。つまりインスタントイレーズモードでは補助データエリアのデータ消去が実行され、フルイレーズモードであったときにはメインデータエリアまでのデータ消去が実行される。
【００５６】
イレーズ処理がスタートすると上述した処理と同時に、「need erase」表示が消され、これに代わって「イレーズオン」表示が点灯する（ステップ６８）。イレーズ処理が終了すると「イレーズオン」表示も消され、このとき始めて他の処理を受け付ける待機モードとなる（ステップ６９，７０，７１）。
【００５７】
このようにロードされたディスクにイレーズフラグが消去されずに残存しているときは、イレーズモード中に電源が切られたような不慮の事態が発生したものとして、イレーズ処理を優先させ、これが終了しない限り他の処理ステップには移行できない。その結果データの不整合は発生しない。
【００５８】
上述した例では記録媒体としてディスク特に光磁気ディスクを例示したが、これはあくまでも一例であってどのような記録媒体を使用しても、編集素材と記録管理情報を同一の記録媒体にストアするものであれば、この発明を適用できることは容易に理解できる。編集素材は音に限らない。
【００５９】
【発明の効果】
以上説明したように、この発明ではイレーズモードの途中で電源が切られたりなどしてイレーズモードが中断した状態で記録媒体がアンロードされたようなときでも、その記録媒体に残存する情報を確実に消去できるようにしたものである。
【００６０】
これによれば、どのような状態でイレーズモードが中断した場合であってもイレーズフラグの内容に伴った消去処理を実行するので、古い情報を完全に消去できるからデータ不整合によるハングアップなどの事態を回避できる特徴を有する。したがって、この発明は上述したように音声データを編集する編集装置などに適用して極めて好適である。
【図面の簡単な説明】
【図１】この発明に係る編集装置の一実施態様を示す要部の系統図である。
【図２】レックＩＤのセーブモードと対応手順フラグとの関係を示す図である。
【図３】イレーズ処理例を示すフローチャートである。
【図４】ディスク再ロードでのイレーズ処理例を示すフローチャートである。
【図５】ディスクエリアの関係を示す図である。
【図６】ＡＵＸエリアデータの構造の一部を説明するための図である。
【図７】イレーズモードとイレーズフラグとの関係を示す図である。
【符号の説明】
１  ディスク
５  記録部
１０  編集装置
３３  メインコントローラ
３７  ＲＡＭ
３７ａ  バックアップエリア
【図１】
0003790868.tif 000002
【図２】
0003790868.tif 000003
【図３】
0003790868.tif 000004
【図４】
0003790868.tif 000005
【図５】
0003790868.tif 000006
【図６】
0003790868.tif 000007
【図７】
0003790868.tif 000008